(57)【要約】【課題】大入賞口を故意に開放させるなどの異常事態を検知して報知することにより不正行為者に警告を与えることができるパチンコ機を提供すること。【解決手段】所定条件の成立により特定遊技状態が発生して可変入賞装置１５の大入賞口１７を開放してパチンコ球を受け入れ若しくは大入賞口１７を一時的に閉じて受け入れない状態とし、所定のラウンド数の特定遊技を繰り返して行なうことにより多量の景品球を放出することができるようにしたパチンコ機１であって、可変入賞装置１５の開閉板１９の近傍に磁力・電波を検知する検出スイッチ３０を設けると共に同開閉板１９の側部に磁石２３を装着し、大入賞口１７が開放されたときに検出スイッチ３０により磁石２３を検知するように設け、前記所定条件が成立していないときに検出スイッチ３０に検知信号が出力された場合に報知ランプ７１などにより外部に報知するようにした。【選択図】図４
2008212415.tif 000002
【特許請求の範囲】
【請求項１】
駆動手段により揺動自在とされる開閉板を起立させて大入賞口が閉じられ、同開閉板を前方に倒して開放された大入賞口から流入するパチンコ球を受け入れるように設けられた可変入賞装置を備え、所定条件の成立により特定遊技状態が発生して大入賞口を開放してパチンコ球を受け入れ若しくは大入賞口を一時的に閉じて受け入れない状態とし、所定のラウンド数の特定遊技を繰り返して行なうことにより多量の景品球を放出することができるようにしたパチンコ機であって、
前記可変入賞装置の開閉板の近傍に磁力・電波を検知する検出スイッチを設けると共に同開閉板の側部に磁性体を装着し、前記大入賞口が開放されたときに該検出スイッチにより該磁性体を検知するように設け、前記所定条件が成立していないときに前記検出スイッチに検知信号が出力された場合に、それを報知手段により外部に報知するように構成したことを特徴とするパチンコ機。
【請求項２】
前記ラウンド間のインターバル時において、前記開閉板を閉鎖させる制御を行なったにもかかわらず前記検出スイッチがオン状態に維持されている場合に前記報知手段により外部に報知することを特徴とする請求項１に記載のパチンコ機。
【発明の詳細な説明】
【技術分野】
【０００１】
本発明は、可変入賞装置の開閉板を故意に開放する不正行為を検知してランプや音声により外部に報知するようにしたパチンコ機に関する。
【背景技術】
【０００２】
一般的な第１種パチンコ機は、遊技盤の遊技領域に通過ゲートと、普通図柄表示部及び特別図柄表示部を備えた図柄表示装置と、始動入賞口及び可変入賞装置（大入賞装置）等を設け、遊技領域に打ち込まれたパチンコ球が通過ゲートを通過することにより普通図柄表示部に所定図柄を表して停止させ、一定時間のみパチンコ球が入賞し易い開放状態とされた始動入賞口にパチンコ球が入賞することにより図柄表示装置の特別図柄表示部を作動させ、その特別図柄表示部が所定の図柄を表して停止すると「大当たり」と言われる特定遊技状態が発生して可変入賞装置の大入賞口をパチンコ球が受け入れられる開放状態とし、所定の条件に基づいてその開放状態が所定ラウンド数（通常、最高１６回まで）だけ繰り返されて多量の景品球を放出することができるような構造とされている。
【０００３】
ところで、パチンコホールにおいて、心得違いの遊技者がピアノ線やセル棒等をパチンコ機に生じる隙間から侵入させて可変入賞装置の開閉板を引っ掛けて大入賞口を開放させ、パチンコ球を入賞しやすくして不当に利益を得るとか、磁石をガラス板に近づけて吸引した遊技球を入賞口に不当に入賞させるといった不正行為が見られる。また、入賞装置の入賞球通過検出スイッチに電波・磁石を近づけて同検出スイッチを作動させることにより図柄表示装置を不正に動作させ、或いは景品球払い出し装置を誤作動させて不正に景品球の払い出しをさせることも行なわれている。
【０００４】
そのような不正行為を防止するための対策は色々提案されており、一例として本件出願人に係る監視装置が特開２００６−２１２３１４号公報により開示されている。その監視装置は、２枚のガラス板の間の空間部に不正使用確認具とフォトセンサを配置し、不正使用確認具の近くでゴト磁石が使用された場合に離脱片が外れて落下し、その落下した離脱片をフォトセンサで検知してランプ表示器を点灯させ、その異常事態を外部に報知する構成とされている。この監視装置は不正行為が行なわれたことをランプ表示器により外部に報知する構成とされているが、正常の状態に復帰させる場合に落下した離脱片を磁石で吸着して元の支持部材に装着しなければならないという煩わしさは否めない。
【０００５】
特開２００４―３１３２０８号公報には、入口を拡大又は開放する可動部材（開放扉）を備えた入賞装置（大入賞口装置）の状態を検出する入賞装置状態検出手段が入賞装置における予め定められた特定の状態を検出しており、可動部材を作動制御するための制御信号を検出する検出手段が制御信号を検出していない場合には不正行為が行なわれたと判定して遊技をできないようにする不正行為阻止手段を備えた遊技機が開示されている。この遊技機では、大入賞口装置の開放扉を開かせる不正行為が行なわれたか否かの判定を、同装置に遊技球が入賞したこと、大入賞口ソレノイドに通電されていること、ガラス枠が開放されていることの三つの条件を満たすことを確認することにより行なわれている。しかし、開放扉が開放されている状態を直接確認する構成とされていないため、大入賞口ソレノイドに通電していても強制的に開放扉を開かせる不正行為に対処することは困難であると言えよう。
【特許文献１】特開２００６−２１２３１４号公報
【特許文献２】特開２００４―３１３２０８号公報
【発明の開示】
【発明が解決しようとする課題】
【０００６】
本発明の目的は、大入賞口を故意に開放させるなどの異常事態を検知して報知することにより不正行為者に警告を与えることができるパチンコ機を提供することにある。
【課題を解決するための手段】
【０００７】
前記目的を達成するために請求項１に記載した発明は、駆動手段により揺動自在とされる開閉板を起立させて大入賞口が閉じられ、同開閉板を前方に倒して開放された大入賞口から流入するパチンコ球を受け入れるように設けられた可変入賞装置を備え、所定条件の成立により特定遊技状態が発生して大入賞口を開放してパチンコ球を受け入れ若しくは大入賞口を一時的に閉じて受け入れない状態とし、所定のラウンド数の特定遊技を繰り返して行なうことにより多量の景品球を放出することができるようにしたパチンコ機であって、
前記可変入賞装置の開閉板の近傍に磁力・電波を検知する検出スイッチを設けると共に同開閉板の側部に磁性体を装着し、前記大入賞口が開放されたときに該検出スイッチにより該磁性体を検知するように設け、前記所定条件が成立していないときに前記検出スイッチに検知信号が出力される異常事態が発生した場合に、それを報知手段により外部に報知するように構成したことを特徴とする。
【０００８】
同様の目的を達成するために請求項２に記載した発明は、請求項１に記載のパチンコ機において、前記開閉板を閉鎖させる制御を行なったにもかかわらず前記検出スイッチがオン状態に維持されている場合に前記報知手段により外部に報知することを特徴とするものである。
【発明の効果】
【０００９】
このパチンコ機によれば、可変入賞装置の大入賞口を故意に開放させるなどの異常事態を検知して報知手段により外部に報知するように構成しているので、パチンコホールの店員が迅速に不正行為に対応することができると共に不正行為者に対して警告を与えることができる。
【発明を実施するための最良の形態】
【００１０】
以下に、本発明の最良の形態例を図面に基づいて説明する。図１は本発明に係るパチンコ機の正面図、図２は本発明のパチンコ機に用いられる可変入賞装置の正面図、図３は可変入賞装置の平面図、図４は可変入賞装置の開閉板が起立して検出スイッチにより磁石が検知されない状態を示す説明図、図５は可変入賞装置の開閉板が前方に倒れて検出スイッチにより磁石が検知される状態を示す説明図、図６は本発明に係るパチンコ機の遊技制御装置の概要構成を示すブロック図、図７は不正行為時に遊技制御装置により実行される処理を説明するブロック図である。
【００１１】
本発明に係るパチンコ機１を図１に示す。このパチンコ機１は、外枠２に取り付けられた図示しない金属製内枠により装飾扉３が開閉自在に設けられ、装飾扉３の中央開口部に遊技領域ｒを覆う透明なガラスが装着されている。その装飾扉３には、左下方に上皿４と下皿５を配置し、右隅にパチンコ球発射ハンドル６を配置している。誘導レール７，８により囲まれる遊技領域ｒには、普通図柄表示部及び特別図柄表示部を備えた図柄表示装置９、普通入賞口１０、始動入賞口１１、装飾ランプ１２、風車１３、可変入賞装置１５などが配設されている。
【００１２】
しかして、本発明のパチンコ機１は、遊技領域ｒに打ち込まれたパチンコ球が通過ゲート（図示せず）を通過することにより普通図柄表示部に所定図柄を表して停止させ、一定時間のみパチンコ球が入賞し易い開放状態とされた始動入賞口１１にパチンコ球が入賞することにより図柄表示装置９の特別図柄表示部を作動させ、その特別図柄表示部が所定の図柄を表して停止すると「大当たり」と言われる特定遊技状態が発生し可変入賞装置１５の大入賞口１７を開放してパチンコ球を受け入れ若しくは大入賞口１７を一時的に閉じて受け入れない状態とし、所定のラウンド数（通常、最高１６回まで）の特定遊技を繰り返して行うことにより多量の景品球を放出する基本構成を備えている。
【００１３】
本発明のパチンコ機１の重要な構成要件を担う可変入賞装置１５を図２に示す。この可変入賞装置１５は、遊技盤に固定される取付板１６の正面に横長形の大入賞口１７を設け、大入賞口１７を開放若しくは閉じる開閉板１９を取付板１６に揺動自在に軸支している。その取付板１６の背面側には、少なくとも１個の入賞口（図示せず）を備えた誘導室（図示せず）が形成されたケース１８を設けている。
【００１４】
図５に示すように、開閉板１９は、裏面２０の一側部１９ａにレバー２１を突設し、他側部１９ｂにアーム２２を突設している。２３はアーム２２の先端部に装着された磁石（磁性体）である。ケース１８内に配置された駆動手段たる開閉用ソレノイド２５のプランジャーの先端部には，駒片２６を取り付けている。その駒片２６は、ピン部材２７を介して開閉板１９のレバー２１に連結されている。
【００１５】
しかして、開閉用ソレノイド２５の非駆動により開閉板１９を起立させて大入賞口１７を閉じ（図４）、若しくは開閉用ソレノイド２５の駆動により開閉板１９を前方に倒してほぼ水平姿勢に開き（図５）、開閉板１９の裏面２０で取付板１６の前面を流下する打玉を受けて大入賞口１７から入賞するパチンコ球を後方の誘導室に誘導するように設けている。
【００１６】
２８は誘導室の入賞口の直下に配設された入賞球カウントスイッチであり、２９は入賞球カウントスイッチ２８の通過孔である。３０は磁力又は電波を検知する検出スイッチであり、この検出スイッチ３０により大入賞口１７が開放されたときに前記磁石２３を検知するように設けられている。なお、正常な遊技中に開閉用ソレノイド２５の駆動により開閉板１９を前方に倒して検出スイッチ３０により磁石２３が検知される場合には、不正行為が行なわれていない状態であるため検知信号をキャンセルするようにプログラムが設けられている。
【００１７】
図６にパチンコ機の遊技制御装置の概要構成を示す。図中、細い実線で囲まれた箇所はパチンコ機のハード及びソフトウェアーの制御を総合的に司る主制御部４０を示し、ＣＰＵは中央処理装置、４１は中央処理装置ＣＰＵが実行する大当たり抽選の乱数発生手段・図柄変動制御・大当たり処理制御等の各種制御プログラム等を記憶させたメモリー、４２は中央処理装置ＣＰＵが前記制御プログラムを実行するときにメモリー４１から読み出された内容等を一時的に記憶させるためのメモリー、４３，４４は中央処理装置ＣＰＵに接続されたインターフェースである。
【００１８】
上記インターフェース４３には、始動入賞口の入賞球検出スイッチ、可変入賞装置１５の開閉用ソレノイド２５・入賞球カウントスイッチ２８・検出スイッチ３０の各回路端子等が接続されている。他方のインターフェース４４には、賞球制御部５０、演出制御部６０が図示しないインターフェースを介して接続されている。演出制御部６０には図柄表示装置９が接続され、図示しないインターフェースを介してランプ制御部７０及び音声制御部８０が接続されている。ランプ制御部７０には報知手段としての報知ランプ７１、音声制御部８０には報知手段としてのスピーカ８１が接続されている。
なお、賞球制御部５０、演出制御部６０、ランプ制御部７０及び音声制御部８０には、中央処理装置ＣＰＵ、各種メモリーやインターフェースを夫々備えている。
【００１９】
以上により、パチンコ遊技において予め定められた条件が成立していないときに検出スイッチ３０に検知信号が出力される異常事態が発生した場合に、それを報知ランプ７１やスピーカ８１により外部に報知するようにした本発明のパチンコ機１が構成される。
【００２０】
つぎに、本発明のパチンコ機の異常事態における作動について説明する。
（１）特定遊技中でないときにおいて、不心得な遊技者がピアノ線やセル棒等を装飾扉３に生じる隙間から侵入させて可変入賞装置１５の開閉板１９を引っ掛けて大入賞口１７を開放させたとする。
（２）大入賞口１７の開放により検出スイッチ３０は開閉板１９の磁石２３を検知し、その検知信号が主制御部４０に入力される。主制御部４０は演出制御信号を演出制御部６０に送り、演出制御部６０がランプ制御部７０にランプ制御信号を、音声制御部８０に音声制御信号を送る。これにより、報知ランプ７１が点灯し、スピーカ８１が鳴動する（図７）。そこで、パチンコホールの店員はかかる事態に迅速に対応することができ、さらなる不正行為に対処することができると共に不正行為者に対して警告を与えることができる。
【００２１】
また、可変入賞装置１５の大入賞口１７が閉じている場合に、遊技者がゴト磁石を可変入賞装置１５の検出スイッチ３０に近づけた場合には、検出スイッチ３０によりゴト磁石が検知され、その検知信号が主制御装置３０に入力される。主制御部４０は演出制御信号を演出制御部６０に送り、演出制御部６０がランプ制御部７０にランプ制御信号を、音声制御部８０に音声制御信号を送る。これにより、報知ランプ７１が点灯し、スピーカ８１が鳴動する（図７）。
【００２２】
さらに、特定遊技状態中におけるラウンド間のインターバル時には、可変入賞装置１５の開閉板１９を一旦起立させて大入賞口１７を閉じるように設けられている。しかし、開閉板１９を閉鎖させる制御を行なったにもかかわらず検出スイッチ３０がオン状態に維持されている場合には、前記同様に不正行為による異常事態が発生したとして報知ランプ７１を点灯させ、スピーカ８１を鳴動させる。
【００２３】
以上に述べた通り、このパチンコ機によれば、可変入賞装置の大入賞口を故意に開放させる異常事態を検知して報知手段により報知するように構成しているので、パチンコホールの店員が迅速に不正行為に対応することができ、不正行為者に対して警告を与えることができる効果を有する。
【図面の簡単な説明】
【００２４】
【図１】本発明に係るパチンコ機の正面図
【図２】本発明のパチンコ機に用いられる可変入賞装置の正面図
【図３】可変入賞装置の平面図
【図４】可変入賞装置の開閉板が起立して検出スイッチにより磁石が検知されない状態を示す説明図
【図５】可変入賞装置の開閉板が前方に倒れて検出スイッチにより磁石が検知される状態を示す説明図
【図６】本発明に係るパチンコ機の遊技制御装置の概要構成を示すブロック図
【図７】不正行為時に遊技制御装置により実行される処理を説明するブロック図
【符号の説明】
【００２５】
１・・・本発明に係るパチンコ機
１５・・・可変入賞装置
１７・・・大入賞口
１９・・・開閉板
２３・・・磁石（磁性体）
２５・・・開閉用ソレノイド（駆動手段）
２８・・・入賞球カウントスイッチ
３０・・・検出スイッチ
７１・・・報知ランプ（報知手段）
８１・・・スピーカ（報知手段）
【図１】
2008212415.tif 000003
【図２】
2008212415.tif 000004
【図３】
2008212415.tif 000005
【図４】
2008212415.tif 000006
【図５】
2008212415.tif 000007
【図６】
2008212415.tif 000008
【図７】
2008212415.tif 000009